(57)【特許請求の範囲】
【請求項１】
無線通信装置（１）において、この無線通信装置は、少なくとも、
基本ユニット（２）であって、該無線通信装置（１）を使用するための少なくとも１つのキーパッド又はキーボード（６）と、該基本ユニット（２）のキーパッド（６）をロックするための手段とをそなえ、該基本ユニット（２）のキーパッド（６）がロックされているときには該無線通信装置（１）との関係でのその動作が少なくとも部分的に阻止されるようになっているものと、
少なくとも１つのキーパッド又はキーボード（１５）を伴う補助ユニット（３）と、
該補助ユニット（３）を該基本ユニット（２）と機能的に接続するための手段（１１，１７，５８）とを有し、
該無線通信装置（１）は、該基本ユニット（２）のキーパッド（６）がロックされるのと同時に該基本ユニット（２）と機能的に接続されている少なくとも１つの補助ユニット（３）のキーパッド（１５）をロックするための更なる手段（１１，１６）を有し、該補助ユニット（３）のキーパッド（１５）がロックされると、その動作が少なくとも部分的に阻止されるようになっていることを特徴とする無線通信装置。
【請求項２】
該基本ユニット（２）のキーパッド（６）をアンロックするための更なる手段を有し、かつ、該基本ユニット（２）のキーパッド（６）がアンロックされるのと同時に該補助ユニット（３）のキーパッド（１５）をアンロックするための更なる手段（１１，１６）を有することを特徴とする請求項１に記載の無線通信装置。
【請求項３】
該基本ユニット（２）のキーパッド（６）に関するキーガード情報を該補助ユニット（３）に伝送するための更なる手段（１１，１６，１７）を有し、かつ、該補助ユニット（３）は、該補助ユニット（３）のキーパッド（１５）の状態を該キーガード情報により示されている状態にセットするための手段（１６）を有することを特徴とする請求項１又は２に記載の無線通信装置。
【請求項４】
該無線通信装置（１）と移動通信ネットワーク（ＮＷ）とをデータ伝送接続するための無線エレメント（４）を有し、該無線エレメント（４）は該基本ユニット（２）に統合されていることを特徴とする請求項１〜３のいずれか一項に記載の無線通信装置。
【請求項５】
該補助ユニット（３）は、該補助ユニット（３）のキーパッド（１５）によってその動作が制御されるようになっているレコーダー（５６）を有することを特徴とする請求項４に記載の無線通信装置。
【請求項６】
該補助ユニット（３）は受話器口（１３）及びマイクロホン（１４）を更に有することを特徴とする請求項４に記載の無線通信装置。
【請求項７】
該補助ユニット（３）はデータ処理装置（ＰＣ）であることを特徴とする請求項４に記載の無線通信装置。
【請求項８】
該無線通信装置（１）と移動通信ネットワーク（ＮＷ）とをデータ伝送接続するための無線エレメント（４）を有し、該無線エレメント（４）は該補助ユニット（３）に統合されていることを特徴とする請求項１又は２に記載の無線通信装置。
【請求項９】
該基本ユニット（２）はデータ処理装置（ＰＣ）であることを特徴とする請求項７に記載の無線通信装置。
【請求項１０】
無線通信装置（１）においてキーガードを実現するための方法において、この無線通信装置は、少なくとも、
基本ユニット（２）であって、該無線通信装置（１）を使用するための少なくとも１つのキーパッド又はキーボード（６）と、該基本ユニット（２）のキーパッド（６）をロックしかつ、アンロックするための手段とをそなえ、該基本ユニット（２）のキーパッド（６）がロックされているときには該無線通信装置（１）との関係でのその動作が少なくとも部分的に阻止されるようになっているものと、
少なくとも１つのキーパッド又はキーボード（１５）を伴う補助ユニット（３）と、
該補助ユニット（３）を該基本ユニット（２）と機能的に接続するための手段（１１，１７，５８）とを有し、
該基本ユニット（２）のキーパッド（６）をロックする操作と関連して該補助ユニット（３）のキーパッド（１５）がロックされることを特徴とする方法。
【請求項１１】
該無線通信装置（１）は該基本ユニット（２）のキーパッド（６）をアンロックするための更なる手段（１０）を有し、該補助ユニット（３）のキーパッド（１５）は該基本ユニット（２）のキーパッド（６）がアンロックされるのと同時にアンロックされるようになっていることを特徴とする請求項１０に記載の方法。
【請求項１２】
該補助ユニット（３）のキーパッド（１５）は該補助ユニット（３）のキーパッド（１５）からアンロックされるようになっており、しかも、該基本ユニット（２）のキーパッド（６）もアンロックされるようになっていることを特徴とする請求項１０に記載の方法。
【請求項１３】
該基本ユニット（２）のキーパッド（６）に関するロッキング情報が該補助ユニット（３）に伝送され、該補助ユニット（３）において、該補助ユニット（３）のキーパッド（１５）が該ロッキング情報により示されている状態にセットされるようになっていることを特徴とする請求項１０〜１２のいずれか一項に記載の方法。
【発明の詳細な説明】
【０００１】
【発明の属する技術分野】
本発明は無線通信装置に関し、この無線通信装置は少なくとも基本ユニットを有し、この基本ユニットは、該無線通信装置を使用するための少なくとも１つのキーパッドと、該基本ユニットをロックしたりアンロックしたりするための手段とを有し、該基本ユニットのキーパッドがロックされているときには該無線通信装置を使用するための該キーパッドの動作が少なくとも部分的に阻止されるようになっており、該無線通信装置は更に少なくとも１つのキーパッドを有する補助ユニットと、該補助ユニットを該基本ユニットと作動的に接続するための手段とを有する。本発明は、更に、無線通信装置においてキーガードを実現するための方法に関しており、この無線通信装置は少なくとも基本ユニットを有し、この基本ユニットは、該無線通信装置を使用するための少なくとも１つのキーパッドと、該基本ユニットをロックしたりアンロックしたりするための手段とを有し、該基本ユニットのキーパッドがロックされているときには該無線通信装置を使用するための該キーパッドの動作が少なくとも部分的に阻止されるようになっており、該無線通信装置は更に少なくとも１つのキーパッドを有する補助ユニットと、該補助ユニットを該基本ユニットと作動的に接続するための手段とを有する。
【０００２】
【従来の技術】
無線通信装置のキーパッドは、例えば、呼を設定するときに電話番号をダイヤルしたり、着信呼に答えたり、該無線通信装置の動作設定を変更したりするために使われる。多くの無線通信装置は、例えばハンドセット・キーなどの、１つのキーを押すことによって、最後にダイヤルした電話番号を選択するためのオプションも提供する。無線通信装置を使う場合には、キーパッドのいずれかのキーを偶発的に押す危険がある。その様な事態の結果として、無線通信装置が例えばユーザーが最後にダイヤルした電話番号に呼を設定したり、或いは無線通信装置の設定が変化したりすることがある。これを防ぐために、無線通信装置のキーボードをロックしてキーボードの通常の動作を妨げるシステムが開発されている。このキーガードは、キーを偶発的に押すことによる誤動作を防止することを意図したものである。
【０００３】
例えば、キーパッドを偶発的に押せないように保護フリップ或いは保護スライドで、機械的にキーガードを実現することができる。無線通信装置のメニュー動作によってキーガードを実現することもでき、その場合にはユーザーは例えばメニュー・キーによってメニュー動作を選択し、その後にユーザーは矢印キーなどのキーを走査してメニューをフリック（ｆｌｉｃｋ）したり、或いは数字キーによって所望のメニュー動作を選択したりすることができる。Ｍキー及び＊キーを押すことによってキーガードを選択することのできる無線通信装置も知られている。その後は、どのキーを押しても無線通信装置が反応しなくなるようにキーパッドの動作が制限される。また、例えばＭキー及び＊キーを順に押すなどの、所定のキーを順に押す操作によってキーガードをオフにすることができる。＃キーなどの所定のキーを例えば２〜３秒間ほど、長時間にわたって連続的に押し続けることによってキーガードをオンにすることができるようになっている解決策も知られており、同様に長時間にわたってこのキーを連続的に押し続けることによってキーガードをオフにするようになっている。
【０００４】
従来技術のこれら無線通信装置に伴う問題は、特に、それ自身のキーパッドを備えている補助装置が基本ユニットに接続されているときには基本ユニットのキーガードが補助装置のこのキーボードの動作に対しては影響を及ぼさないということである。その結果として、補助ユニットのキーパッドを偶発的に押したことにより開始される動作を基本ユニットのキーガードによって阻止することはできない。
【０００５】
その様な補助ユニットの１つは補助バッテリーと、それに接続されたレコーダーである。この補助ユニットはレコーダーの動作を制御するためのキーパッドを有する。この関係で言及しておくべき他の補助ユニットは、少なくともハンドセット・キーを含むキーパッド、表示装置、受話器口及びマイクロホンなどの、無線通信装置のユーザーインターフェースの少なくとも一部分から成るいわゆるリストバンド・エレメントである。リストバンド・エレメントを備えたこの種の無線通信装置が、同じ出願人による前の、未だ未公表の特許出願で記述されている。
【０００６】
【発明が解決しようとする課題】
本発明の１つの目的は、基本ユニットのキーガードが該無線通信装置に接続されている１つ以上の補助ユニットのキーパッドもロックするようになっている無線通信装置を提供することである。
【０００７】
【課題を解決するための手段】
本発明による無線通信装置は、更に、該基本ユニットのキーパッドをロックするのと同時に該基本ユニットに機能的に接続されている少なくとも１つの補助ユニットのキーパッドをロックするための手段と、該基本ユニットのキーパッドをアンロックするのと同時に該補助装置のキーパッドをアンロックするための手段とを有し、該補助装置のキーパッドがロックされているときには、その動作が少なくとも部分的に阻止されるようになっていることを特徴とする。更に、本発明による方法は、該基本ユニットのキーパッドをロックする動作と関連して該補助装置のキーパッドがロックされ、基本ユニットのキーパッドをアンロックする動作と関連して該補助装置のキーパッドがアンロックされることを特徴とする。本発明は、基本ユニットのキーパッドがロックされるときに、キーガードに関する情報を基本ユニットから補助ユニットに伝送するか、或いは基本ユニットにおいて補助ユニットのキーパッドを押す動作を無視することによって、補助ユニットのキーパッドの動作を阻止するという着想に基づいている。
【０００８】
本発明は従来技術の解決策に顕著な利点を与える。本発明による無線通信装置では、１つのキーガード機能で、基本ユニットのキーパッドに加えて１つ以上の補助装置のキーパッドをロックすることが可能であり、キーを偶発的に押す操作の影響が防止される。従って、補助ユニットに例えば機械的カバー等の別のキーガードを設ける必要はなくなる。
次に、添付図面を参照して本発明をいっそう詳しく説明する。
【０００９】
【発明の実施の形態】
第１の実施形態
図１に示されている、本発明の第１の有利な実施形態による無線通信装置１は、基本ユニット２と、この基本ユニット２とデータ伝送接続している補助ユニット３とから成っている。この例では、基本ユニット２は、例えばＧＳＭ移動電話機などの、それ自体としては公知の移動局である。図２及び３は基本ユニット２の縮小ブロック図であり、図４は補助ユニット３の縮小ブロック図である。基本ユニット２は、無線通信装置１と移動通信ネットワークＮＷ又は他の無線通信装置（図示されていない）とをデータ伝送接続するための無線部４を有する。無線部４は、例えば、無線通信装置のための送信装置４ａ、受信装置４ｂ、局部発振器４ｃ、変調器４ｄ、及び復調器４ｅとを有する。基本ユニット２は、無線エレメントのためのアンテナ５と、キーパッド６、表示（ディスプレイ）手段７，受話器口８及びマイクロホン９も有する。更に、基本ユニット２は、無線通信装置１の動作を制御するためのコントローラ１０と、補助ユニット３と基本ユニット２とのデータ伝送接続を設定するための手段から成るリンク・モジュール１１とをも有する。この実施形態では、リンク・モジュール１１は独自のコントローラ１２を備えているけれども、リンク・モジュール１１の機能の少なくとも一部分が基本ユニットのコントローラ１０と関連して設けられるように本発明を適用することもできる。更に、図２及び３の縮小ブロック図は、電圧源６４と、基本ユニットのための操作スイッチも示している。
【００１０】
補助装置３は、本発明のこの有利な実施形態では、例えば受話器口１３，マイクロホン１４，キーパッド１５，及びコントローラ１６を有する。補助装置のキーパッド１５は、例えば、ハンドセット・キー１５ａ、１５ｂ及び一組の数字キー１５ｃ，・・・，１５ｌを有する。通話中、ユーザーは基本ユニットの受話器口８及びマイクロホン９の代わりに補助装置３の受話器口１３及びマイクロホン１４を使うことができ、ここで、基本ユニット２は例えばユーザーのポケットの中にあってもよい。補助装置のキーパッド１５を使って、ユーザーは例えば電話番号をダイヤルしたり、着信呼に答えたりすることができる。コントローラ１６は、本明細書で後述するように、補助装置３の動作を制御する。更に、補助ユニット３は、基本ユニット２と補助ユニット３とをデータ伝送接続するためのリンク・モジュール１７を有する。図１，図２及び３に示されている無線通信装置では、補助ユニットは、例えば着信呼がある電話機の電話番号などの情報をユーザーに表示するための表示（ディスプレイ）手段１８も有する。
【００１１】
この明細書では、基本ユニット２と補助ユニット３とのデータ伝送接続をリンク接続ＬＩＮＫと称する。このリンク接続を実現するために、幾つかの選択肢を利用できる。１つの解決策は、ガルバニック手段、即ちワイヤ又はケーブルによってリンク接続を実現するものである。
【００１２】
例えばテレビ用のリモートコントロールユニットに使われている超音波データ伝送としてリンク接続を実現することもできる。その場合、超音波送信装置は、送信されるべき情報で変調された超音波信号を作り、それが超音波受信装置で復調される。超音波を用いれば、基本ユニット２と補助ユニット３との間では視覚的な交信は不要である。
【００１３】
赤外線データ伝送でリンク接続を実現することもでき、その場合には基本ユニット２及び補助ユニット３の双方が赤外線送信装置及び赤外線受信装置を有する。赤外線データ送信は、赤外線送信装置から赤外線受信装置まで、例えば窓及びその他の光沢のある表面を通る、直接に或いは赤外光線を反射する表面を通して赤外光線を妨げなく通す経路を必要とする。
【００１４】
リンク接続を形成するもう一つの選択肢は無線接続である。リンク接続に使われる変調方法は例えば周波数変調（ＦＭ）或いはディジタル変調方法である。リンク接続に使われる周波数範囲をいくつかのチャネルに分割するのが有利であり、その各チャネルに該周波数範囲の或る一定のセクションが割り当てられる。チャネル幅は例えば変調方法によって影響を受ける。例えば周波数変調では、搬送波周波数は該チャネルの中心周波数（チャネル周波数）に設定され、周波数変調された信号の周波数は該チャネル周波数の両側で変調信号に応じて変化する。最大周波数偏差（ｄｅｖｉａｔｉｏｎ）は、そのチャネルに割り当てられている周波数範囲の幅の半分である。本発明のこの有利な実施形態では、リンク接続ＬＩＮＫは無線接続であり、データは変調された無線周波数信号で送信される。しかし、本発明はこの実施形態だけに限定されるものではない。
【００１５】
リンク接続ＬＩＮＫに使われるデータ伝送方法はそれ自体としては本発明に適用するにあたって重要ではない。基本ユニットのリンク・モジュール１１及び補助ユニットのリンク・モジュール１７の詳細な構成は、問題のリンク接続の種類に応じて変化して良い。例えば赤外線データ伝送では、リンク・モジュール１１、１７は、少なくとも、赤外線送信装置及び赤外線受信装置、並びにそれらを制御するのに必要な、バッファ手段及び変調／復調手段（図示されていない）などの制御回路からなる。また同様にして、無線接続を使用するときには、リンク・モジュール１１、１７は、従来から知られているように、送信されるべき情報信号を変調するための無線送信装置１９、２０と、受信された無線周波数信号を復調するための無線受信装置２１、２２と、１個又は数個の局部発振器２３、２４とを有する。
【００１６】
リンク接続ＬＩＮＫは、好ましくは該リンクを双方向に、即ち基本ユニット２から補助ユニット３への方向、並びに補助ユニット３から基本ユニット２への方向に同時送信を行うために使えるように双方向リンクであるのが有利である。したがって無線接続を使うときには、基本ユニットのリンク・モジュールの送信装置１９は第１の送信帯域（アップリンク帯域）の空きチャネル周波数で送信し、補助ユニットのリンク・モジュールの送信装置２０は第１の受信帯域（ダウンリンク帯域）の対応するチャネル周波数で送信する。実用にあたっては、送信チャネル及び受信チャネルの周波数差は一定（デュプレックス範囲(duplex range)）に設定される。従って、リンクモジュールは、送信装置１９、２０及び受信装置２１、２２が共有の局部発振器２３、２４を有するように有利に実現することができ、例えば受信装置２１、２２が所望のチャネル周波数に整調されているときには送信装置１９はデュプレックス範囲の距離だけ離れた周波数に整調される。
【００１７】
本発明の第１の有利な実施形態による無線通信装置１は次のように動作する。無線通信装置１のメニュー機能（図示されていない）により、無線通信装置１はユーザー・エア・インターフェース（ＵＡＩ）モードに設定され、補助ユニット３が使用状態となる。無線通信装置１に着信呼があったり、或いは基本ユニット２と補助ユニット３との間で情報を送信しなければならないときには、基本ユニット２と補助ユニット３との間にリンク接続ＬＩＮＫが形成される。この実施形態では、リンク接続ＬＩＮＫは無線接続として実現され、その動作についてこの明細書で次に説明する。
【００１８】
補助ユニットのコントローラ１６は、有利には所定間隔を置いて、或いは割り込み要求に基づいて、どのキー１５ａ，１５ｂ，・・・，１５ｒが押される可能性があるかを調べる。この実施形態では、キーを押す操作に基づいて、補助ユニットのコントローラ１６は、このキーが押されたことに関するメッセージをリンク接続ＬＩＮＫを介して基本ユニット２に送る。有利には、基本ユニットのコントローラ１０はキーを押す操作を実際に解釈する。従って、基本ユニットのコントローラ１０のアプリケーション・ソフトウェアは、各キーを押す操作によって示される各機能についての定義を有する。例えば、数字キーは、普通は電話番号を入力したり、場合によっては文字を書いたりするためにも使用される。ハンドセット・キー１５ａ（図１）は、呼設定を開始したり、又は着信呼に答えるために使われる。このハンドセット・キーには普通は緑色のハンドセットの記号が付されている。
【００１９】
補助ユニット３のキーパッド１５をロックする操作は、本発明のこの有利な実施形態では次のように行われる。ユーザーは、例えばキーパッドのメニュー・キー６ｏ及び＊キー６ｌを押すことによって無線通信装置の基本ユニット２の例えばメニュー機能からキーガードを選択し、これで基本ユニット２のキーパッドがロックされる。この場合、基本ユニット２のキーパッドは、普通は着信呼に答え、またキーガードをアンロックするためにだけ使うことができる。通話中、基本ユニット２のキーガードを、また必要に応じて補助ユニット３のキーガードも、完全に或いは部分的に、解除することが可能である。
【００２０】
キーガード情報は、この有利な実施形態では、補助ユニット３にも伝送される。本明細書で後述するように、基本ユニット２は基本ユニット２と補助ユニット３との間のリンク接続ＬＩＮＫを設定し始める。リンク接続ＬＩＮＫを設定した後、リンク・モジュール・コントローラ１２はキーガード・コマンドを作るが、それは例えば或る一定のビット列（ｂｉｔ  ｓｔｒｉｎｇ）である。このコマンドは、リンク接続を介して補助ユニット１３に送られるべきメッセージを作るためにリンク・モジュール・コントローラ１２に伝送される。送信のために、例えば、特に、発生する可能性のある送信エラーを無くすためにフレームの形でデータ送信を行うなど、それ自体としては公知のデータ送信方法を使用することが可能である。リンク・モジュールで送信される、少なくとも送信されるべきコマンドを含んでいるメッセージは、リンク・モジュール変調器３１によって変調される。補助ユニットの受信装置は、送信されたメッセージを受け取り、該メッセージは補助ユニットのコントローラ１６に送られる。
【００２１】
補助ユニットのコントローラ１６は、受け取ったメッセージで送られてきた情報、即ちこの場合にはキーガード・コマンド、を調べる。その後、キーガード情報は補助ユニットのコントローラ１６のアプリケーション・ソフトウェアで、また好ましくは基本ユニットのコントローラ１０でも、オンにされる。キーガード情報は例えばコントローラ１０、１６のランダムアクセスメモリー（ＲＡＭ）範囲での或る一定のビットであってよい。そのビットの値は例えばキーガードがオンになっているときには論理１状態であり、同様にしてキーガードがオフになっているときには論理０状態である。このことはこの分野の専門家にとっては従来技術に属することであり、キーガード情報の実現についての、より詳しい解説はこの明細書では記載する必要はない。
【００２２】
補助ユニットのキーパッド１５について完全なキーガードが望ましい場合には、補助ユニットのコントローラ１６がキーガード状態ではキーパッド１５を調べないように、即ち補助ユニットのコントローラ１６が押されたキーについて決められている機能を行わないようにすることができる。特に、補助ユニットのキーパッド１５のキーを押す操作に関する情報が基本ユニット２には伝送されなくて補助ユニットのキーパッド１５が主として補助ユニット３の機能を制御するようになっているような無線通信装置１において用いられるように完全なキーガードを適用することができる。この種の応用の実例は図３に示されている補助バッテリー５９であり、レコーダーが補助バッテリー５９と関連して設けられている。
【００２３】
補助ユニットのキーパッド１５を使ってキーガードをアンロックできるようにキーガードを実現することもできる。その場合、補助ユニットのコントローラ１６が補助ユニットのキーパッド１５のキーを押す操作を普通に調べるけれども、ユーザーがキーガードをアンロックするキーを押した場合に限ってそのことに関する情報が基本ユニットのコントローラ１０に伝送されるように補助ユニットのキーガードを実現するのが有利である。これは、補助ユニットのキーパッド１５が基本ユニットのキーパッドと少なくとも部分的に並行して使用されるアプリケーションにおいて有利な実施例である。例えば図１〜４に示される無線通信装置では、リストバンド５５と関連して設けられている補助ユニット３は、ハンドセット・キー１５ａ、１５ｂ、数字キー１５ｃ，・・・，１５ｌ及び特殊キー１５ｍ，・・・，１５ｒを含むキーパッド１５を有する。
【００２４】
次に、補助ユニットのキーパッド１５のロックを基本ユニットのキーパッド６を介してのみ解除できる場合におけるキーガードをオフにする操作について説明する。この場合、ユーザーは、例えばＭキー６ｏと＊キー６ｌなど、所定のキーを順に使うことによって基本ユニットのキーパッドを介してキーガードを解除する。その後、そのキーガード情報は、基本ユニットのコントローラ４のアプリケーション・ソフトウェアにおいて、キーガードがオフになったことを知らせる状態に変換される。基本ユニットのコントローラ４は補助ユニットのキーパッド１５のキーガードを解除するコマンドをリンク・モジュールに送る。リンク・モジュールのコントローラ１２は、もしリンク接続ＬＩＮＫがオンになっていなければ、基本ユニット２と補助ユニット３との間のリンク接続ＬＩＮＫを設定する動作を開始する。リンク・モジュールは、キーガードを解除するコマンドを含むメッセージを送る。受信されたコマンドは補助ユニットのコントローラ１６のアプリケーション・ソフトウェアにおいて解釈され、キーガード情報が補助ユニットのコントローラ１６のアプリケーション・ソフトウェアで解釈され、このキーガード情報はキーガードがオフになっていることを知らせる状態に変換される。その後、基本ユニットのキーパッド６及び補助ユニットのキーパッド１５はともに正常に動作する。
【００２５】
或る実施例では、補助ユニットのキーパッド１５を介してもキーガードを解除できるようにされうる。この場合、キーガードを解除するために、ユーザーは、例えば補助ユニットのＭキー１５ｏと＊キー１５ｌなど、補助ユニットのキーパッド１５のうちの所定のキーを順に押す。補助ユニットのコントローラ１６は、本明細書において既に説明したように補助ユニットのキーパッド１５を調べ、キーを順に押す操作を調べる。キーを順に押す操作がキーガードの解除であることを検出した後、コントローラ１６はキーガード情報をキーガードがオフであると知らせる状態に変換する。更に、補助ユニットのコントローラ１６は、もしその時にリンク接続ＬＩＮＫがオンになっていなければ、基本ユニット２と補助ユニット３との間のリンク接続ＬＩＮＫを設定する動作を開始する。リンク接続を設定した後、キーガードを解除するコマンドを含むメッセージが補助ユニット３から基本ユニット２に送られる。基本ユニットのコントローラ１０のアプリケーション・ソフトウェアにおいて、受信されたコマンドが解釈され、キーガード情報がキーガードがオフであると知らせる状態に変換され、これでキーパッド６、１５が正常に動作するようになる。
【００２６】
更に、基本ユニット２が補助ユニットからのキー・コマンドを無視するようにキーガードを実現することもできる。この場合、キーガード情報を補助ユニット３に伝送する必要はなく、キーガード情報は基本ユニットのコントローラ１０のアプリケーション・ソフトウェアで有利に設定される。この情報に基づいて、基本ユニットのコントローラ１０は、キーガードがオンになっているときには補助ユニット３からのキー情報を調べない。補助ユニットのキーパッド１５が補助ユニット３の動作を制御するために直接使用されることのない無線通信装置１にこの実施例を適用することができる。例えば、補助ユニットのキーパッド１５は基本ユニットのキーパッド６と並行しているけれども、キーガードの解除は基本ユニットのキーパッド６を介してのみ実行することができるようにされる。
【００２７】
キーパッドの実例
図５はキーパッド６、１５を実現するための従来技術の解決策を示す縮小ブロック図である。キーパッドは例えば列ライン及び行ライン（導体）から成るマトリックスを形成するようにして実現され、各キーのためのスイッチは、１本の列ライン及び１本の行ラインと導電接続するように結合される。このようにして各キーのために別々の接続ラインを設ける必要はない。図５のキー・マトリックスは４本の行ラインＲｏｗ１，・・・，Ｒｏｗ４と５本の列ラインＣｏｌ１，・・・，Ｃｏｌ５とを有し、最大で２０個のキーから成るキーパッド６、１５を実現することができる。キーパッドに必要なキーの個数に応じて行ラインＲｏｗ１，・・・，Ｒｏｗ４及び／又は列ラインＣｏｌ１，・・・，Ｃｏｌ５の数を変えることができる。各キーはキー・スイッチＫ１，・・・，Ｋ２０を有し、それは、解除状態では有利には開放しており、即ち非導電状態であり、キーを押せば閉じる。各スイッチＫ１，・・・，Ｋ２０の第１の接続ラインＫ１ａ，Ｋ２ａ，・・・，Ｋ２０ａは１本の行ラインＲｏｗ１，・・・，Ｒｏｗ４に接続され、これに対応して第２の接続ラインＫ１ｂ，Ｋ２ｂ，・・・，Ｋ２０ｂは１本の列ラインＣｏｌ１，・・・，Ｃｏｌ５に接続されている。図５のキー・マトリックスは、コントローラ１０、１６と直接関連して設けられていて、各行ラインＲｏｗ１，・・・，Ｒｏｗ４及び列ラインＣｏｌ１，・・・，Ｃｏｌ５はコントローラ１０、１６の２進接続ラインＩ／Ｏ１，・・・，Ｉ／Ｏ９に接続されている。２進接続ラインは、入力ライン、出力ライン、又は入出力複合ラインであってよい。コントローラ１０、１６のアプリケーション・ソフトウェアにおいて、入力ラインの論理状態を読み取って、それに応じて出力ラインの状態を論理０状態又は論理１状態に設定することが可能である。この実施例では、行ラインＲｏｗ１，・・・，Ｒｏｗ４に結合されている接続ラインＩ／Ｏ１，・・・，Ｉ／Ｏ４は出力ラインとして規定されていて、それらは好ましくはオープンコレクタ型のものである。列ラインＣｏｌ１，・・・，Ｃｏｌ５にそれぞれ結合されている接続ラインＩ／Ｏ５，・・・，Ｉ／Ｏ９は入力ラインとして規定されている。更に、列ラインＣｏｌ１，・・・，Ｃｏｌ５は、プル・アップ抵抗ＭＲ１，・・・，ＭＲ５によって、例えば約３Ｖ又は５Ｖの値の供給電圧Ｖｃｃに有利に結合されている。
【００２８】
例えば、コントローラ１０、１６が始めに第１の行ラインＲｏｗ１に結合されている第１の接続ラインＩ／Ｏ１を論理０状態にセットし、これで第１の行ラインＲｏｗ１の電圧が０Ｖ近くにセットされることとなるように、キーパッド６、１５が読まれる。このようにして第１の行ラインＲｏｗ１と関連して設けられているどのキーもセットされていない場合には、即ちすべてのキー・スイッチＫ１，・・・，Ｋ５が開放している場合には、プル・アップ抵抗ＭＲ１，・・・，ＭＲ５はすべての列ラインＣｏｌ１，・・・，Ｃｏｌ５の電圧を供給電圧Ｖｃｃの近くに維持する。しかし、第１の行ラインＲｏｗ１に結合されているいずれかのキーが押されると、対応するキー・スイッチＫ１，・・・，Ｋ５が閉じて第１の行ラインＲｏｗ１がこのキー・スイッチに結合されている列ラインＣｏｌ１，・・・，Ｃｏｌ５に結合される。その結果として、この列ラインＣｏｌ１，・・・，Ｃｏｌ５の電圧は、第１の行ラインＲｏｗ１の電圧に実質的に等しくなり、即ち、０Ｖに近くなり、それは、この実施例では論理０状態を表す。他の列ラインの電圧は供給電圧Ｖｃｃに近い値にとどまっている、即ち論理１状態である。
【００２９】
列ラインＣｏｌ１，・・・，Ｃｏｌ５に結合されている接続ラインＩ／Ｏ５，・・・，Ｉ／Ｏ９の数をコントローラ１０、１６のアプリケーション・ソフトウェアにおいて決定することによって列ラインＣｏｌ１，・・・，Ｃｏｌ５の論理状態（０／１）を見出すことができる。その結果として、２進数字ｂ5 ｂ6 ｂ7 ｂ8 ｂ9 が得られ、このｂ5 は第５の接続ラインＩ／Ｏ５又は第１の列ラインＣｏｌ１の論理状態を表し、ｂ6 は第６の接続ラインＩ／Ｏ６又は第２の列ラインＣｏｌ２の論理状態を表し、ｂ7 は第７の接続ラインＩ／Ｏ７又は第３の列ラインＣｏｌ３の論理状態を表し、ｂ8 は第８の接続ラインＩ／Ｏ８又は第４の列ラインＣｏｌ４の論理状態を表し、ｂ9 は第９の接続ラインＩ／Ｏ９又は第５の列ラインＣｏｌ５の論理状態を表す。第１のキー・スイッチＫ１が押されているならば、その結果は２進数字０１１１１である。これに対応して、第２のキー・スイッチＫ２を押し下げると２進数字１０１１１が得られ、第３のキー・スイッチＫ３を押すと２進数字１１０１１が得られ、第４のキー・スイッチＫ４を押すと２進数字１１１０１が得られ、第５のキー・スイッチＫ５を押すと２進数字１１１１０が得られる。
【００３０】
次に、コントローラ１０、１６は、第１の行ラインＲｏｗ１に結合されている第１の接続ラインＩ／Ｏ１の状態を論理１状態に戻すと共に、第２の行ラインＲｏｗ２に結合されている第２の接続ラインＩ／Ｏ２の状態を論理０状態にセットし、これで、上記のように列ラインＣｏｌ１，・・・，Ｃｏｌ５に結合されている接続ラインＩ／Ｏ５，・・・，Ｉ／Ｏ９の状態を読むことによって第２の行ラインＲｏｗ２に結合されているキー・スイッチＫ６，・・・，Ｋ１０の状態を見出すことが可能となる。同様に、第３の接続ラインを論理０状態にセットすることによって、第３の行のキー・スイッチＫ１１，・・・，Ｋ１５の状態を見出すことができ、第４の接続ラインＩ／Ｏ４を論理０状態にセットすることによって第４の行のキー・スイッチＫ１６，・・・，Ｋ２０の状態を見出すことができる。
【００３１】
コントローラ１０、１６のアプリケーション・ソフトウェアには、読みとりを行う各々の時にどの接続ラインが０状態にセットされているかということに関して記憶された情報が含まれ、その情報と上記の２進数字ｂ5 ｂ6 ｂ7 ｂ8 ｂ9 とに基づいてコントローラ１０、１６のアプリケーション・ソフトウェアにおいて押されているキーがあるか無いかを見出し、ある場合にはどのキーが押されているキーなのかを見出すことが可能である。
【００３２】
キーパッド６、１５に適用する方法を１つだけ説明したけれども、他のタイプのキーパッドと関連して本発明を適用することもできる。キーパッドの外観やキーのグループ分けはキーパッドの具体的な電気的構成方法に必ずしも左右されないことも述べておかなければならない。例えば、前述したマトリックス形では、キーパッドの外観は同じ４×５マトリックスの形でなくてもよい。更に、キーパッド６、１５はマトリックスのすべてのキー・スイッチＫ１，・・・，Ｋ２０を含んでいなくてもよい。例えば図２，３及び４に示されている実施態様では、キーパッド６、１５は１８個のキー６ａ，・・・，６ｒ；１５ａ，・・・，１５ｒを含んでいる。
【００３３】
更に、この目的のために設計されているキーパッド制御回路（図示されていない）を用いてキーパッド６、１５を実現することが可能である。そのキーパッド制御回路は、キーパッドを調べ、キー・コードをそのランダムアクセスメモリー等に記憶し、もしいずれかのキーが押されていれば例えば割り込み要求をコントローラ１６に送る。キーパッド制御回路のランダムアクセスメモリーを読むことによって、押されたキーのコードを見出すことができる。
【００３４】
リンク接続の設定
次に、図１〜４に示されている本発明の第１の有利な実施形態による無線通信装置１でのリンク接続ＬＩＮＫの設定（ｓｅｔｔｉｎｇ  ｕｐ）について説明する。
【００３５】
基本ユニットのリンク・モジュール１１の受信装置２１は、例えば周波数制御ライン３１で三角波形の電圧をスイッチングすると共にスイッチＳ１をオンにすることによって空きチャネルを発見するためにリンク接続ＬＩＮＫのために選択された受信帯域を掃引するように命令される。その三角波は、例えばリンク・モジュールのコントローラ１２のディジタルアナログ変換器（Ｄ／Ａ）によって作られる。その三角波はスイッチＳ１及び抵抗Ｒ１を通してキャパシタンスダイオードＤ１に送られる。キャパシタンスダイオードＤ１の導体同士の間の電圧の変化は、キャパシタンスダイオードＤ１のキャパシタンスの変化を引き起こす。キャパシタンスダイオードＤ１はリンク・モジュールの局部発振器２３の周波数制御回路に結合されていて、リンク・モジュールの局部発振器２３の周波数は周波数制御ライン３１の電圧の変化と関連して変化する。リンク・モジュールの局部発振器２３により作られた周波数はリンク・モジュールの受信装置のミキサーに送られる。このミキサーに結合されたリンク受信アンテナ回路は、リンク・モジュール受信アンテナ２６と、第１の帯域フィルター２７と、リンク・モジュールの受信装置のための高周波増幅器とを有する。第１の帯域フィルター２７の通過帯域として、第１のリンク接続のために選択された受信帯域の周波数範囲が設定され、この周波数範囲の無線周波数信号はミキサーに送られる。ミキサー２５の出力は、局部発振器の周波数と、受信されるべき無線周波数信号との差である混合結果を与え、この出力は第２の帯域フィルター２９を通して検出器３０に伝達される。第２の帯域フィルター２９の通過帯域の幅は、実質的にチャネルの幅に等しくて、隣接するチャネルに存在するかも知れない信号が復調を妨害することはない。検出器の出力３２は、復調された信号を与える。復調された信号は、低域フィルター３４にも送られ、この低域フィルターで濾波された信号はＡＦＣライン３３に送られるが、その電圧レベルは掃引時にリンク・モジュールのコントローラ１２によって監視される。図２及び３の装置では、その監視は、電圧値をコントローラ１２のアプリケーション・ソフトウェアで処理されるべきディジタル値に変換することによってコントローラ１２のアナログディジタル変換器（Ａ／Ｄ）で行われる。ＡＦＣラインの電圧レベルは検出器３０の出力のＤＣレベルに比例する。補助ユニット３から送信された信号を受信すると、ＡＦＣライン３３を使って受信装置の局部発振器周波数を送信された信号の搬送波周波数にロックしておくことができるようになる。
【００３６】
ＡＦＣライン３３の電圧レベルに基づいて、コントローラ１２は、調べられるべき受信帯域に他のトラフィックが存在するか否か推測する。もし他のトラフィックが無ければ、受信帯域のどのチャネル周波数にも整調することが可能である。もし他のトラフィックがあれば、受信帯域から空きチャネルを選択しなければならない。利用できる空いたスペースが無ければ、選択された受信帯域で補助ユニット３への接続を設定することは不可能である。もし空きスペースを利用できるならば、受信装置はそのチャネル周波数に整調される、即ち、選択されたチャネル周波数に対応する制御電圧がキャパシタンスダイオードＤ１にセットされる。このようにしてキャパシタンスダイオードＤ１のキャパシタンスはリンク・モジュールの局部発振器２３の周波数を選択されたチャネル周波数に対応するようにセットする。この実施形態ではリンク・モジュールの局部発振器２３はリンク・モジュールの受信装置２１とリンク・モジュールの送信装置１９との両方に対して共通であるので、リンク・モジュールの受信装置が正しいチャネル周波数に整調されるのと同時に、リンク・モジュールの送信装置もデュプレックス範囲の距離を置くように整調される。
【００３７】
復調された信号はリンク・モジュールの検出器の出力ライン３２から受信される。データ信号が受信されると、コントローラ１２はスイッチＳ８をオンに転換し、これで、受信されるべきデータ信号はリンク・モジュールのコントローラ１２に導入され、受信されたデータが調べられる。しかし、オーディオ信号は、スイッチＳ２をオンに転換することにより、基本ユニット２へ送られる。補助ユニット３からの送信が受信されると、スイッチＳ９をオンに転換することによってキャパシタンスダイオードＤ１上のＡＦＣライン３３を結合することが可能となり、これにより受信装置２１が放射の周波数にロックされる。
【００３８】
空き受信チャネルを発見した後、基本ユニット２と補助ユニット３との間のデータ伝送接続の設定を開始することが可能となる。リンク・モジュールのコントローラ１２は、リンク・モジュールの送信装置１９をオンに切り換え、スイッチＳ３をオンに切り換え、リンク・モジュールの変調器のデータ入力にパスワードを入力するが、このパスワードはリンク・モジュール１１と補助ユニット３とに共通である。
【００３９】
図２及び３に示されているリンク・モジュールの送信装置１９は次のように動作する。変調信号は、そのキャパシタンスが変調信号に応じて変化するキャパシタンスダイオードＤ２に入力される。データ信号はスイッチＳ３と分離手段Ｒ７とを通過し、アナログ信号はスイッチＳ４と分離手段Ｒ８とを通過する。分離手段Ｒ７及びＲ８は主としてインピーダンス整合手段として使われる。変調されるべき発振器３５の基本周波数は、送信されるべき無線周波数信号と受信されるべき無線周波数信号との間に所望のデュプレックス範囲の周波数差が生じるように選択される。共通の局部発振器を使用することにより、どのチャネルが使用されるかということとは無関係にデュプレックス範囲が一定に保たれるように受信装置及び送信装置の双方を整調することが可能となる。変調の結果として、周波数変調された信号が作られ、この信号はリンク・モジュールの送信装置のミキサー３６の第１入力に送られる。ミキサー３６の第２入力には、受信装置が所望の受信周波数に整調されるようにセットされたリンク・モジュールの局部発振器２３の周波数が送られる。このようにしてこのミキサーの出力は送信信号の周波数で変調された信号を与え、この信号は更にリンク・モジュールの送信装置の高周波増幅器３７で増幅され、例えばスプリアス放射を減衰させるために低域フィルター３８で低域濾波される。この低域フィルターから、変調された無線周波数信号がリンク・モジュールの送信アンテナ３９に送られる。
【００４０】
補助ユニットの受信装置は、例えば５秒ごとなど、或る一定間隔を置いてオンに切り換えられ、補助帯域の受信帯域が、即ちリンク・モジュール１１の送信帯域が、走査される。同時に、補助ユニットのコントローラ１６は、基本ユニットのリンク・モジュールによってその帯域に生成された放射があるか否かを見出すために補助ユニットの検出器４０の出力を監視する。ある場合には、受信装置はその放射にロックされ、その放射に含まれている情報が読み取られる。その情報が補助ユニットのパスワードを含んでいるならば、補助ユニットの受信装置はその周波数にロックされる。
【００４１】
この様に継続的にオンに切り換える動作の目的は、補助ユニット３の電力消費量を減らすことである。補助ユニット３において供給電圧を絶えずオンに保つ必要があるのは、通話中と、基本ユニット２から補助ユニット３へ情報を送信するときとだけである。その他の時には、基本ユニット２が呼を受信したか或いは基本ユニットが補助ユニット３に情報を送信しつつあるならば或る一定間隔を置いてチェックを行うだけにして、供給電圧をオフに切り換えることができる。
【００４２】
基本ユニットのリンク・モジュールの受信装置２１は同様の電力節約方法で動作することができる、即ち、受信装置２１は、その受信帯域に、即ち補助ユニットの送信帯域に、放射があるか無いか間欠的に監視するだけである。その他の時には、供給電圧はオフにされる。
【００４３】
補助ユニット及び基本ユニットの双方のリンク・モジュール１１における送信装置のエレメントへの供給電圧は、好ましくは、通話中と、情報送信中とにオンにされるだけである。
【００４４】
補助ユニット３の送受信装置の動作は、その本質的部分においてリンク・モジュールの送受信装置の動作と類似している。補助ユニットの受信装置２２は、例えば周波数制御ライン４０で三角波形電圧をスイッチングすると共にスイッチＳ５をオンに切り換えることによって第１のリンク接続のために選択された送信帯域を走査するようにセットされる。三角波はスイッチＳ５と抵抗Ｒ４とを通してキャパシタンスダイオードＤ３に送られる。キャパシタンスダイオードＤ３を使って、局部発振器２４の周波数が周波数制御ライン４０の電圧の変化と関連して調整される。補助ユニットの局部発振器２４によって作られる周波数は補助ユニットの受信装置のミキサー４１に送られる。補助ユニットの受信アンテナ４２から受信された無線周波数信号は、第３の帯域フィルター４３を通って補助ユニットの受信装置の高周波増幅器４４で増幅され、補助ユニットの受信装置のミキサー４１に送られる。ミキサー４１の出力から、局部発振器周波数と、受信されるべき無線周波数信号との差信号が第４の帯域フィルター４５を通して補助ユニットの検出器４０に送られる。第４の帯域フィルター４５の通過帯域の幅も、チャネルの幅に実質的に等しい。検出器４０の出力信号は、ＡＦＣ信号を作るために補助ユニットの検出器の低域フィルター４６に送られる。復調された信号は補助ユニットのオーディオ・ラインから与えられる。データ信号が受信されると、該信号は、受信されたデータを調べるスイッチＳ１０をオンに切り換えることによって補助ユニットのコントローラ１６に送られる。その代わりに、オーディオ信号は、スイッチＳ１１をオンに切り換えることにより補助ユニットの受話器口１３に送られる。更に、復調された信号は抵抗Ｒ６を通してＡＦＣライン４７に送られるが、その電圧レベルは補助ユニットのコントローラ１６によって監視される。放射の周波数でのロックは、スイッチＳ１２をオンにすることによって補助ユニットの局部発振器のキャパシタンスダイオードＤ３へのＡＦＣライン４７の電圧をスイッチングすることによって有利に実行される。
【００４５】
補助ユニットの送信装置２０において、変調されるべきデータ信号又はオーディオ信号はキャパシタンスダイオードＤ４に送られ、このダイオードは、変調器４８の発振回路にあって、その基本周波数は、送信されるべき無線周波数信号と受信されるべき無線周波数信号との間に所望のデュプレックス範囲の周波数差が生じるように選択される。コントローラ１６はデータ送信時にはスイッチＳ６をオンにするが、スイッチＳ７は開放位置にある。これに対応して、アナログ信号送信時にはコントローラ１６はスイッチＳ７をオンにすると共にスイッチＳ６を開く。スイッチＳ６、Ｓ７と直列に結合されている分離手段Ｒ９、Ｒ１０は、整合手段として用いられている。変調の結果として、周波数変調された信号が得られ、この信号は送信装置のミキサー４９の第１入力に送られる。補助ユニットの局部発振器２４の周波数はミキサー４９の第２入力に送られる。従って、該ミキサーの出力は、送信チャネルの周波数で周波数変調された信号を与え、この信号は更に、補助ユニットの高周波増幅器５０によって増幅され、例えばスプリアス放射を減衰させるために低域フィルター５１で低域濾波される。この低域フィルターから、変調された無線周波数信号が補助ユニットの送信アンテナ５２に送られる。
【００４６】
リンク・モジュール１１は図１，図２及び３において基本ユニット２に接続される別のモジュールとして図示されているけれども、リンク・モジュール１１の機能を基本ユニット２に統合することも可能である。
【００４７】
リンク・モジュール及び補助ユニットの受信装置２１、２２の実用的解決策では、例えば、ミキサー、高周波増幅器及び低周波増幅器、リミッター、及び検出器を含む、アナログ無線通信装置で使用される中間周波数（ＩＦ）回路５３、５３’を使用することが可能である。該回路の感度は、この目的のために充分である。該回路は安価であり、その電力消費量は少ない。送信装置１９、２０を実現するためにも、ＦＭ変調器５４、５４’を利用することができる。
【００４８】
コントローラ１０、１２、１６のために、プロセッサの他に、ランダムアクセスメモリー（ＲＡＭ）、入出力（Ｉ／Ｏ）ライン、Ａ／Ｄ変換器、Ｄ／Ａ変換器、及び読み出し専用メモリー（ＲＯＭ）も有する、それ自体としては公知の、例えばマイクロコントローラを使用することが可能である。特にリンク・モジュール１１が基本ユニット２に統合されるアプリケーションでは、リンク・モジュールのコントローラの機能を少なくとも部分的に基本ユニット２のコントローラのアプリケーション・ソフトウェアででも実現することができる。
【００４９】
スイッチＳ１，・・・，Ｓ１２は半導体スイッチであるのが有利であり、その場合、該スイッチの制御は、スイッチ制御ラインの電圧をオンにすることにより実行され、該スイッチは第１の電圧値ではオフ位置にあり、第２の電圧値ではオン位置にある。該第１の電圧値は例えば約０Ｖであり、該第２の電圧値は供給電圧Ｖｃｃに近い値である。このようにして該制御ラインをコントローラ１２、１６の２進入出力（Ｉ／Ｏ）ラインに結合させることができ、ここで前記の２つの電圧値を該コントローラのアプリケーション・ソフトウェアによりセットすることができる。
【００５０】
リンク・モジュール１１は基本ユニット２のシステム・コネクター１２等に有利に固定され、これを通して、リンク・モジュール１１と基本ユニット２との間のデータ伝送接続に必要なシグナリングを手配することができる。
【００５１】
第２の実施形態
図６及び７は、本発明の他の有利な実施形態による無線通信装置１を示している。基本ユニットは、この実施形態でも、それ自体としては公知の移動局であり、補助ユニット３は補助バッテリー５９であり、このバッテリー５９と関連してレコーダー５６が設けられている。補助ユニットは、録音キー１５ｕ、再生キー１５ｖ、巻き取りキー１５ｗ、巻き戻しキー１５ｘ、及びストップ・キー１５ｙを含むキーパッド１５（図８）を有する。記録手段は、例えば、それ自体としては公知の、アナログ形で記録を行うメモリー回路など、オーディオ記録に適するメモリー回路５７である。この様なメモリー回路における記録時間は普通はわずか数分間であるけれども、数個のメモリー回路をつないで記録時間を長くすることができる。
【００５２】
補助ユニット３は、例えば補助バッテリー５９から基本ユニット２へ供給電圧Ｖｃｃを供給するために基本ユニット２に形成されているバッテリー・コネクター５８に結合されている。更に、オーディオ・ライン６０、６１がバッテリー・コネクター５８に関連して設けられている。オーディオ出力ライン６０を通して、基本ユニットのマイクロホン９からマイクロホン信号が補助ユニット３のレコーダー５６に入力され、これに対応して、オーディオ信号がレコーダー５６からオーディオ入力ライン６１を通して基本ユニットの受話器口８に送られる。
【００５３】
更に、ロッキング・ライン６２がバッテリー・コネクター５８に設けられている。ロッキング・ライン６２は、補助ユニットのコントローラ１６の２進入力ラインＩ／Ｏ１１に結合されている。ロッキング・ライン６２により、基本ユニットのコントローラ１０は、本明細書において後述するように、補助ユニットのキーパッド１５のロッキング状態を制御することができる。
【００５４】
この実施形態では、キーパッド１５のキー１５ｕ，・・・，１５ｙは、キー・スイッチＫ１７，・・・，Ｋ２１で実現されており、その第１の接続ラインＫ１７ａ，・・・，Ｋ２１ａは、この実施形態では入力ラインとして使用される、コントローラ１６の２進接続ラインＩ／Ｏ１，・・・，Ｉ／Ｏ５に結合されている。キー・スイッチの第２の接続ラインＫ１７ｂ，・・・，Ｋ２１ｂは、グランド電位に結合されている。プル・アップ抵抗ＭＲ６，・・・，ＭＲ１０は、コントローラ１６の２進入力ラインＩ／Ｏ１，・・・，Ｉ／Ｏ５から供給電圧Ｖｃｃに結合されている。従って、キー・スイッチがオフ位置にあるときには、それぞれのコントローラの接続ラインＩ／Ｏ１，・・・，Ｉ／Ｏ５の電圧は供給電圧Ｖｃｃの値に近くて、それはこの実施形態では論理１状態に対応する。キー１５ｕ，・・・，１５ｙを押すと、キー・スイッチＫ１７，・・・，Ｋ２１がオンになり、コントローラの対応する接続ラインＩ／Ｏ１，・・・，Ｉ／Ｏ５がグランド電位に結合される、即ち接続ラインＩ／Ｏ１，・・・，Ｉ／Ｏ５の状態が論理０状態に対応する。補助ユニットのコントローラ１６のアプリケーション・ソフトウェアにおいて、接続ラインの数は別のサブプログラムとして有利に規定され、読み取る動作の結果として２進数字ｂ1 ｂ2 ｂ3 ｂ4 ｂ5 が得られる。この２進数字の各ビットはキー・スイッチの状態を例えば次のように表す、即ち、ｂ1 は記録スイッチ１５ｕの論理状態（０／１）を表し、ｂ2 は再生スイッチ１５ｖの論理状態を示し、ｂ3 は巻き取りキー１５ｗの論理状態を示し、ｂ4 は巻き戻しキー１５ｘの論理状態を示し、ｂ5 はストップ・キー１５ｙの論理状態を示す。
【００５５】
無線通信装置をオンにする動作と関連して、基本ユニットのコントローラ１０はロッキング・ライン６２を補助ユニットのキーパッド１５のアンロックされた状態に対応する状態にセットする。この実施形態では、この状態は論理０状態であり、ロックされた状態は論理１状態である。論理０状態に対応する電圧値は約０Ｖであり、論理１状態は供給電圧Ｖｃｃに近い電圧値である。
【００５６】
この有利な実施形態では、キーガードは次のように動作する。ユーザーは基本ユニットのキーパッド６を用いてキーガードをオンにする。その後、基本ユニットのコントローラ１０は、基本ユニットのアプリケーション・ソフトウェア中のキーガード情報をキーガードがオンになっていることを知らせる状態にセットする。更に、基本ユニットのコントローラ１０は、ロッキング・ライン６２の状態を論理１状態に変更する。
【００５７】
補助ユニットのコントローラ１６は、該コントローラがキーパッド１５を調べる前にロッキング・ライン６２の状態を調べる。本明細書において前述したキーパッドの列ラインＣｏｌ１，・・・，Ｃｏｌ５の読み取りと同様にしてロッキング・ライン６２の状態を読み取ることができる。ロッキング・ライン６２は今は論理１状態であり、即ちキーパッド１５はロックされており、コントローラ１６は、たとえユーザーが補助ユニットのキー１５ｕ，・・・，１５ｙを押すかも知れなくても、レコーダーの動作状態を変更しない。キーを押す操作を調べるためのプログラム部分が補助ユニットのコントローラ１６のアプリケーション・ソフトウェアで作動しないように、これを有利に実現することができる。
【００５８】
実施形態１に関して既に説明したように、基本ユニットのキーパッド６でキーガードを解除するためのキーを順に押す操作を行うことによってキーガードを解除することができる。その後に、基本ユニットのコントローラ１０は、アプリケーション・ソフトウェア中のキーガード情報を、キーパッドの通常動作状態に対応する状態に変更する。更に、補助ユニットのコントローラ１０は、ロッキング・ライン６２の状態を論理０状態に変更し、補助ユニットのコントローラ１６は、次にロッキング・ライン６２の状態を調べるときにこの状態変化を検出する。ロッキング・ライン６２の状態は今は論理０状態であるので、即ち補助ユニットのキーパッド１５がロックされていないので、補助ユニットのコントローラ１６は、キーを押す操作を調べて、キーが押されたことに基づいてレコーダー５６の動作を制御する。
【００５９】
その結果として、上記のロッキング・ライン６２の具体的構成は、補助ユニットのコントローラ１６がロッキング・ライン６２の状態を時々調べるという事実に基づいている。ロッキング・ライン６２を補助ユニットのコントローラ１６の割り込みライン（図示せず）に結合することもでき、その場合にはロッキング・ライン６２の状態変化（０→１，１→０）は補助ユニットのコントローラ１６への割り込み要求を生じさせる。従って補助ユニットのコントローラ１６はそれぞれの割り込みプログラム部分を作動させる。このプログラム部分はキーガード情報の状態をロッキング・ライン６２の状態に対応するようにセットするための定義付けを有利に含んでいる。従って、補助ユニットのコントローラ１６は、キーガード情報の状態に基づいて、キーパッド１５がロックされているか否かを推測する。接続ラインの状態を調べる動作は多くの公知のマイクロコントローラにおいてランダムアクセスメモリー（ＲＡＭ）を調べる動作より遅いので、いくつかのアプリケーションでは、この様な割り込みの利用は補助ユニットのコントローラ１６の動作を高速化する。
【００６０】
第３の実施形態
図９は、本発明の第３の有利な実施形態による無線通信装置１を更に示している。この無線通信装置の基本ユニット２は、図２及び３、及び図６及び７に示される縮小配線図による移動局等の、移動局である。補助ユニット３は、キーボード１５及びディスプレイ装置１８の付いているポータブル・コンピュータ（ＰＣ）等の、データ処理装置である。基本ユニット２は、補助ユニットのリンク・モジュール１７によって補助ユニット３と接続されている。この実施形態では、基本ユニットのリンク・モジュール１１は主として基本ユニットのコントローラ１０のアプリケーション・ソフトウェアで実現される。この有利な実施形態では、補助ユニットのリンク・モジュール１７は、基本ユニット２と補助ユニット３との間で信号を送るための手段（図示されていない）を備えている、ＰＣＭＣＩＡ規格に基づく接続カードである。
【００６１】
この実施形態の動作は、本発明の第１の有利な実施形態の動作と大部分は一致する。ユーザーは、例えば基本ユニットのキーパッド６でキーガードをオンにすることができ、すると基本ユニット２はキーガードに関する情報を補助ユニット３に送ることができる。例えばメッセージに基づくデータ伝送でキーガード情報を基本ユニット２から補助ユニット３へ送ることができ、基本ユニット２から送られたメッセージは補助ユニット３で受信され解釈される。その結果として、補助ユニットのキーボードはロックされる。この実施形態では、基本ユニット２はデータ伝送接続を達成するために伝送ケーブル６３によって補助ユニットのリンク・モジュール１７に接続される。従って、基本ユニットのコントローラ１０は、補助ユニットのリンク・モジュール１７に送られて更に補助ユニット３に送られるロッキング・メッセージ等を作る。補助ユニットのリンク・モジュール１７はそのメッセージを受け取り、その受け取られたメッセージは、例えば補助ユニットのコントローラへの割り込み信号によって肯定応答（アクノレッジ）される。この実施形態では、補助ユニットのコントローラはデータ処理装置（図示されていない）の中央処理装置（ＣＰＵ）であるのが有利である。補助ユニットのコントローラは、受け取ったメッセージを調べて、補助ユニットのキーボード１５をロックするために必要なステップを執る。この関係において、キーガードのためのいくつかの実用的解決策を開示している上記各実施形態を参照する。基本ユニット２から補助ユニット３へメッセージを送ることによって、対応する方法でキーガードの解除を行うことができる。伝送ケーブル６３を使う代わりに、例えば赤外線データ伝送など、ワイヤ無しでデータ伝送を行うこともできる。
【００６２】
更に、補助ユニット３が数個存在するように本発明を応用してもよく、その場合には基本ユニット２のキーガード情報は、独立したキーパッド又はキーボードが付いている補助ユニットのすべてに送られる。例えば、本発明の第１の実施形態による無線通信装置１では、補助ユニット３はリストバンドと関連して形成されるユーザーインターフェースを有し、基本ユニット２をバッテリー及びレコーダーの付いている本発明の第２の実施形態による補助ユニットに接続することもできる。基本ユニット２から補助ユニット３へキーガード情報を送るために、本明細書で前述した解決策を使用することが可能であり、その場合には、この実施形態についてこの関係ではこれ以上詳しい解説は不要である。
【００６３】
更に、本発明の無線通信装置１では、基本ユニット２は例えばデータ処理装置（ＰＣ）であってもよく、その場合には補助ユニット３は移動局又は対応するデータ伝送装置であってよい。また、有線又は無線方式で種々の異なった手法を幾つか用いることによって基本ユニット２と補助ユニット３との間でのデータ伝送を実現してもよい。
【００６４】
本発明は前述の各実施形態だけに限定されるものではなくて、特許請求の範囲における各請求項に規定された範囲内で修正され得るものである。
【図面の簡単な説明】
【図１】本発明を有利に適用することのできる無線通信装置を示す図である。
【図２】図１の無線通信装置の基本ユニットを示す縮小ブロック図（その１）である。
【図３】図１の無線通信装置の基本ユニットを示す縮小ブロック図（その２）である。
【図４】図１の無線通信装置の補助ユニットを示す縮小ブロック図である。
【図５】キーボードの具体例を示す縮小ブロック図である。
【図６】本発明を有利に適用することのできる他の無線通信装置を示す縮小ブロック図（その１）である。
【図７】本発明を有利に適用することのできる他の無線通信装置を示す縮小ブロック図（その２）である。
【図８】図６及び７の無線通信装置の補助ユニットのキーパッドのレイアウトを示す図である。
【図９】本発明を有利に適用することのできる更に他の無線通信装置を示す図である。
【符号の説明】
１…無線通信装置
２…基本ユニット
３…補助ユニット
４…無線エレメント
６，１５…キーパッド又はキーボード
１０，１６…コントローラ
１１，１７…リンク・モジュール
１３…受話器口（イヤーピース）
１４…マイクロホン
５６…レコーダー
５８…バッテリー・コネクター
ＮＷ…移動通信ネットワーク
【図１】
0003793939.tif 000002
【図２】
0003793939.tif 000003
【図３】
0003793939.tif 000004
【図４】
0003793939.tif 000005
【図５】
0003793939.tif 000006
【図６】
0003793939.tif 000007
【図７】
0003793939.tif 000008
【図８】
0003793939.tif 000009
【図９】
0003793939.tif 000010